(57)【要約】【課題】  画像データに基づく画像を記録媒体に印刷しない場合であっても、ユーザによる画像確認時において、当該装置を他のユーザが使用可能な状態にしておくことができる画像形成装置を提供する。【解決手段】    ファクシミリ通信可能な画像形成装置２２は、電子ペーパ表示キーが、ＦＡＸ受信データを電子ペーパに表示させることを要求する表示要求指示を受付けた場合に、当該画像形成装置２２に対して着脱可能に装着される電子ペーパ１００に対し、ＦＡＸ受信データに基づく画像を表示させるようにする。【選択図】  図２
2010135992.tif 000002
【特許請求の範囲】
【請求項１】
外部装置が接続されるネットワークに接続され、前記ネットワークを介して前記外部装置とデータ通信を行なうデータ受信装置であって、
前記外部装置から送信される画像データを受信する受信手段と、
当該データ受信装置に対して表示装置を着脱可能に装着する装着手段と、
受信した前記画像データを前記表示装置に表示させることを要求する表示要求指示を受付ける第１の受付手段と、
前記第１の受付手段が、前記表示要求指示を受付けた場合に、前記表示装置に対し、受信した前記画像データに基づく画像を表示させる表示制御手段とを含むことを特徴とするデータ受信装置。
【請求項２】
受信した前記画像データに基づく画像を記録媒体に印刷する印刷手段と、
受信した前記画像データを記録媒体に印刷することを要求する印刷要求指示を受付ける第２の受付手段と、
前記第２の受付手段が、前記印刷要求指示を受付けた場合に、前記印刷手段に対し、受信した前記画像データに基づく画像を記録媒体に印刷させる印刷制御手段とをさらに含むことを特徴とする請求項１に記載のデータ受信装置。
【請求項３】
前記表示装置は、不揮発性表示装置であることを特徴とする請求項１又は請求項２に記載のデータ受信装置。
【請求項４】
前記受信手段は、前記外部装置から送信される、連続した複数頁の前記画像データを受信し、
前記表示制御手段は、前記第１の受付手段が前記表示要求指示を受付けた場合に、前記表示装置に対し、前記表示装置が当該データ受信装置に装着される毎に、前記受信した画像データに基づく画像を頁番号順に変更して表示させることを特徴とする請求項１〜請求項３のいずれか１つに記載のデータ受信装置。
【請求項５】
連続した複数頁の前記画像データのうちから、ユーザによって選択された頁の前記画像データを示す選択情報を受付ける選択受付手段をさらに含み、
前記表示制御手段は、前記第１の受付手段が前記表示要求指示を受付けた場合であって、かつ、前記選択受付手段が前記選択情報を受付けた場合に、前記表示装置に対し、選択された頁の前記画像データに基づく画像を表示させることを特徴とする請求項４に記載のデータ受信装置。
【請求項６】
連続した複数頁の前記画像データの割付頁数を示す、ユーザからの割付指示を受付ける割付受付手段をさらに含み、
前記表示制御手段は、前記第１の受付手段が前記表示要求指示を受付けた場合であって、かつ、前記割付受付手段が前記割付指示を受付けた場合に、前記表示装置に対し、連続した複数頁の前記画像データに基づく画像を、前記割付指示によって示される割付頁数に従って割付表示させることを特徴とする請求項４又は請求項５に記載のデータ受信装置。
【請求項７】
請求項１〜請求項６のいずれか１つに記載のデータ受信装置を備えることを特徴とする画像形成装置。
【請求項８】
外部装置が接続されるネットワークに接続され、前記ネットワークを介して前記外部装置とデータ通信を行なうデータ受信装置として機能させるコンピュータプログラムであって、当該コンピュータを、
前記外部装置から送信される画像データを受信する受信手段と、
当該データ受信装置に対して表示装置を着脱可能に装着する装着手段と、
受信した前記画像データを前記表示装置に表示させることを要求する表示要求指示を受付ける第１の受付手段と、
前記第１の受付手段が、前記表示要求指示を受付けた場合に、前記表示装置に対し、受信した前記画像データに基づく画像を表示させる表示制御手段として機能させることを特徴とするコンピュータプログラム。
【請求項９】
請求項８に記載のコンピュータプログラムを記録した、コンピュータが読取り可能な記録媒体。
【発明の詳細な説明】
【技術分野】
【０００１】
本発明は、画像データに基づく画像を出力するための技術に関し、特には、画像データに基づく画像を表示するデータ受信装置、画像形成装置、コンピュータプログラム、及びそのコンピュータプログラムを記録した記録媒体に関する。
【背景技術】
【０００２】
表示装置の一つとして、例えば、マイクロカプセル型電気泳動表示方式等を利用した電子ペーパがある。この電子ペーパは、画像データに基づく画像を表示可能な表示装置であり、携帯性及び視認性に優れる紙の特性と、表示内容を繰返し書換えることができるというディスプレイの特性とを兼ね備えている。また、一旦情報が書込まれた後は電源電力の供給なしにその情報の表示を維持可能であるため、省電力化に優れる表示装置を実現可能である。
【０００３】
例えば、後掲する特許文献１は、電子ペーパ表示部を含むデジタルカメラについて開示している。このデジタルカメラにおいて、電源切断前の、デジタルカメラの電池残量、及び、撮影可能な画像の枚数等の動作状態情報は、電子ペーパ表示部に表示される。また、後掲する特許文献２は、液晶表示パネルからなる表示部と、電子ペーパからなる補助表示部とを含む画像形成装置について開示している。この画像形成装置において、画像形成装置の動作情報及び警告情報等は表示部に表示されるとともに、補助表示部にも表示される。特許文献１及び特許文献２に開示される技術によれば、ユーザは、電源を投入することなく、電源切断前のデジタルカメラ又は画像形成装置の各種情報を知ることができるので、消費電力を低減することができる。また、特許文献１及び特許文献２に開示される技術は、電源切断中において各種情報を電子ペーパに表示するものであるが、例えば、節電モード時においても上記技術を応用することが考えられる。
【特許文献１】特開２００３−２０９７１８号公報
【特許文献２】特開２００６−２０１４６０号公報
【発明の開示】
【発明が解決しようとする課題】
【０００４】
従来、ファクシミリ機能を有する画像形成装置において、記録用紙及びトナー等の消耗品の消費量を低減するために、ファクシミリ受信した画像データに基づく画像及び通信結果記録表等の情報を記録用紙に印刷せず、操作パネル上の表示画面等に表示させる機能を有するものがある。このような画像形成装置においては、ユーザが表示画面に表示される情報を確認している間は、他のユーザは画像形成装置を使用することができず、利便性が悪いという問題がある。特許文献１及び特許文献２には、上述の問題を解決するための技術については開示されていない。
【０００５】
本発明は、上述の問題に鑑みてなされたものであって、その目的は、画像データに基づく画像を記録媒体に印刷しない場合であっても、ユーザによる画像確認時において、当該装置を他のユーザが使用可能な状態にしておくことができるデータ受信装置、及びそれを備える画像形成装置、コンピュータプログラム、並びに、そのコンピュータプログラムを記録した記録媒体を提供することである。
【課題を解決するための手段】
【０００６】
本発明の第１の局面に係るデータ受信装置は、外部装置が接続されるネットワークに接続され、ネットワークを介して外部装置とデータ通信を行なうデータ受信装置であって、外部装置から送信される画像データを受信する受信手段と、当該データ受信装置に対して表示装置を着脱可能に装着する装着手段と、受信した画像データを表示装置に表示させることを要求する表示要求指示を受付ける第１の受付手段と、第１の受付手段が、表示要求指示を受付けた場合に、表示装置に対し、受信した画像データに基づく画像を表示させる表示制御手段とを含む。
【０００７】
このように、データ受信装置は、第１の受付手段が表示要求指示を受付けた場合に、当該データ受信装置に対して着脱可能に装着される表示装置に対し、受信した画像データに基づく画像を表示させる。したがって、ユーザは、表示装置をデータ受信装置から取外し、データ受信装置から離れた場所で表示装置に表示された画像を確認することができる。そのため、画像データに基づく画像を記録媒体に印刷しない場合であっても、ユーザによる画像確認時において、当該データ受信装置を他のユーザが使用可能な状態にしておくことができる。また、画像データに基づく画像を記録媒体に印刷することなく画像を確認できるので、記録媒体及びトナー等の消耗品の消費量を低減することができる。
【０００８】
好ましくは、データ受信装置は、受信した画像データに基づく画像を記録媒体に印刷する印刷手段と、受信した画像データを記録媒体に印刷することを要求する印刷要求指示を受付ける第２の受付手段と、第２の受付手段が、印刷要求指示を受付けた場合に、印刷手段に対し、受信した画像データに基づく画像を記録媒体に印刷させる印刷制御手段とをさらに含む。
【０００９】
このように、データ受信装置は、第２の受付手段が印刷要求指示を受付けた場合に、印刷手段に対し、受信した画像データに基づく画像を記録媒体に印刷させるので、ユーザは、受信した画像データに基づく画像を、表示装置に表示させるか、又は、記録媒体に印刷させるかを選択することができる。したがって、より一層ユーザの利便性が向上する。
【００１０】
より好ましくは、表示装置は、不揮発性表示装置である。これにより、画像データに基づく画像を記録媒体に印刷しない場合であっても、ユーザは、電力を消費することなく受信した画像データに基づく画像を確認することができる。また、表示装置の取外し時における、電源供給を維持するための制御回路及び電源等の構成を必要としないので、装置構成を簡単にすることができるとともに、コストダウン及び装置の小型化をより一層達成できる。
【００１１】
さらに好ましくは、受信手段は、外部装置から送信される、連続した複数頁の画像データを受信し、表示制御手段は、第１の受付手段が表示要求指示を受付けた場合に、表示装置に対し、表示装置が当該データ受信装置に装着される毎に、受信した画像データに基づく画像を頁番号順に変更して表示させる。これにより、ユーザは、当該データ受信装置に対して表示装置の着脱を繰返すという簡単な操作によって、連続した複数頁の画像データに基づく画像を全て確認することができる。したがって、ユーザの利便性がさらに向上する。
【００１２】
さらに好ましくは、データ受信装置は、連続した複数頁の画像データのうちから、ユーザによって選択された頁の画像データを示す選択情報を受付ける選択受付手段をさらに含み、表示制御手段は、第１の受付手段が表示要求指示を受付けた場合であって、かつ、選択受付手段が選択情報を受付けた場合に、表示装置に対し、選択された頁の画像データに基づく画像を表示させる。これにより、ユーザは、連続した複数頁の画像データのうちから所望の頁の画像データを選択して、選択した頁の画像データに基づく画像を確認することができる。したがって、ユーザの利便性がさらに向上する。
【００１３】
さらに好ましくは、データ受信装置は、連続した複数頁の画像データの割付頁数を示す、ユーザからの割付指示を受付ける割付受付手段をさらに含み、表示制御手段は、第１の受付手段が表示要求指示を受付けた場合であって、かつ、割付受付手段が割付指示を受付けた場合に、表示装置に対し、連続した複数頁の画像データに基づく画像を、割付指示によって示される割付頁数に従って割付表示させる。これにより、ユーザは、連続した複数頁の画像データに基づく画像が所望の割付頁数で割付表示された画像を確認することができるので、一度に多くの情報を確認することができる。したがって、ユーザの利便性がさらに向上する。
【００１４】
本発明の第２の局面に係る画像形成装置は、上述のデータ受信装置を備えるので、画像データに基づく画像を記録媒体に印刷しない場合であっても、ユーザによる画像確認時において、当該画像形成装置を他のユーザが使用可能な状態にしておくことができる。また、画像データに基づく画像を記録媒体に印刷することなく画像を確認できるので、記録媒体及びトナー等の消耗品の消費量を低減することができる。
【００１５】
本発明の第３の局面に係るコンピュータプログラムは、コンピュータを、外部装置が接続されるネットワークに接続され、ネットワークを介して外部装置とデータ通信を行なうデータ受信装置として機能させるコンピュータプログラムであって、当該コンピュータを、外部装置から送信される画像データを受信する受信手段と、当該データ受信装置に対して表示装置を着脱可能に装着する装着手段と、受信した画像データを表示装置に表示させることを要求する表示要求指示を受付ける第１の受付手段と、第１の受付手段が、表示要求指示を受付けた場合に、表示装置に対し、受信した画像データに基づく画像を表示させる表示制御手段として機能させる。
【００１６】
このようなコンピュータプログラムを実行させることによって、データ受信装置は、第１の受付手段が表示要求指示を受付けた場合に、当該データ受信装置に対して着脱可能に装着される表示装置に対し、受信した画像データに基づく画像を表示させる。したがって、ユーザは、表示装置をデータ受信装置から取外し、データ受信装置から離れた場所で表示装置に表示された画像を確認することができる。そのため、画像データに基づく画像を記録媒体に印刷しない場合であっても、ユーザによる画像確認時において、当該データ受信装置を他のユーザが使用可能な状態にしておくことができる。また、画像データに基づく画像を記録媒体に印刷することなく画像を確認できるので、記録媒体及びトナー等の消耗品の消費量を低減することができる。
【００１７】
本発明の第４の局面に係る記録媒体は、上述のコンピュータプログラムを記録した、コンピュータが読取り可能な記録媒体である。
【００１８】
なお、上記記録媒体としては、例えば、コンピュータ内部の主記憶又は補助記憶を構成するＲＡＭ（Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、及び、補助記憶装置としてのＨＤＤ（Ｈａｒｄ  Ｄｉｓｋ  Ｄｒｉｖｅ）等がある。
【００１９】
また、コンピュータの外部記憶装置としてプログラム読取装置が設けられ、この装置に挿入することで読取可能な記録媒体であってもよい。通常は、ＣＰＵ（Ｃｅｎｔｒａｌ  Ｐｒｏｃｅｓｓｉｎｇ  Ｕｎｉｔ）が主記憶以外の記録媒体からコンピュータプログラムを読出し、この読出されたコンピュータプログラムを主記憶装置にロードして実行する。ＣＰＵは、インストールされたコンピュータプログラムに従って所定の処理を行なうようにコンピュータの各部を統括的に制御する。プログラム読取装置で読取可能な記録媒体としては、（１）磁気テープ、及び、カセットテープ等のテープ系、（２）フレキシブルディスク（ＦＤ）、及び、ハードディスク（ＨＤ）等の磁気ディスク、又は、ＣＤ−ＲＯＭ（Ｃｏｍｐａｃｔ  Ｄｉｓｃ−Ｒｅａｄ  Ｏｎｌｙ  Ｍｅｍｏｒｙ）、ＭＯ（Ｍａｇｎｅｔｏ  Ｏｐｔｉｃａｌ  Ｄｉｓｋ）、ＭＤ（Ｍｉｎｉ  Ｄｉｓｋ）、及び、ＤＶＤ（Ｄｉｇｉｔａｌ  Ｖｅｒｓａｔｉｌｅ  Ｄｉｓｋ）等の光ディスク等のディスク系、（３）メモリカードを含むＩＣ（Ｉｎｔｅｇｒａｔｅｄ  Ｃｉｒｃｕｉｔ）カード、及び、光カード等のカード系、及び、（４）マスクＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、及び、フラッシュメモリ等の半導体メモリを含めた固定的にプログラムを記録する媒体等を例示することができる。
【００２０】
さらに、コンピュータを、インターネットを含む通信ネットワークに接続可能な構成とし、通信ネットワークからコンピュータプログラムをダウンロードするように流動的にプログラムを担持する媒体であってもよい。このように通信ネットワークからコンピュータプログラムをダウンロードする場合には、そのダウンロード用プログラムは予めコンピュータに格納しておけばよい。また、他の記録媒体からインストールされてもよい。
【発明の効果】
【００２１】
本発明によれば、データ受信装置は、第１の受付手段が表示要求指示を受付けた場合に、当該データ受信装置に対して着脱可能に装着される表示装置に対し、受信した画像データに基づく画像を表示させる。したがって、ユーザは、表示装置をデータ受信装置から取外し、データ受信装置から離れた場所で表示装置に表示された画像を確認することができる。そのため、画像データに基づく画像を記録媒体に印刷しない場合であっても、ユーザによる画像確認時において、当該データ受信装置を他のユーザが使用可能な状態にしておくことができる。また、画像データに基づく画像を記録媒体に印刷することなく画像を確認できるので、記録媒体及びトナー等の消耗品の消費量を低減することができる。
【発明を実施するための最良の形態】
【００２２】
以下の説明及び図面においては、同一の部品には同一の参照符号及び名称を付してある。それらの機能も同様である。したがって、それらについての詳細な説明をその都度繰返すことはしない。
【００２３】
［画像形成装置２２］
図１は、本発明の一実施の形態に係る画像形成装置２２の斜視図であり、図２は、画像形成装置２２の電気的構成を示すブロック図である。図１及び図２を参照して、画像形成装置２２は、スキャナ機能、コピー機能、ファクシミリ機能、及び、プリンタ機能等を備えるＭＦＰ（Ｍｕｌｔｉｆｕｎｃｔｉｏｎ  Ｐｒｉｎｔｅｒ）である。
【００２４】
画像形成装置２２は、制御部５０、ＨＤＤ５２、操作部５４、原稿搬送読取部５５、画像処理部５６、画像メモリ５７、画像形成部５８、回線制御部６０、モデム６２、ＣＩ検出部６４、ＬＡＮインターフェイス（ＬＡＮ  Ｉ／Ｆ）６６、書込部６８、及び、電子ペーパ装着部６９を含む。
【００２５】
制御部５０は、実質的にコンピュータであって、ＣＰＵ７０、ＲＯＭ７２、及び、ＲＡＭ７４を含む。ＣＰＵ７０には、ＢＵＳライン７６が接続されており、このＢＵＳライン７６には、ＲＯＭ７２及びＲＡＭ７４が電気的に接続される。ＣＰＵ７０は、操作部５４等からの指示に応じて各種コンピュータプログラムを実行することによって、画像形成装置２２の各構成部の動作及び外部装置との通信等の所望の処理を実行する。上記の各種コンピュータプログラムは、予めＲＯＭ７２又はＨＤＤ５２に記憶されており、所望の処理の実行時において、当該ＲＯＭ７２又はＨＤＤ５２から読出されてＲＡＭ７４に転送される。ＣＰＵ７０は、ＣＰＵ７０内の図示しないプログラムカウンタと呼ばれるレジスタに格納された値によって指定される、ＲＡＭ７４内のアドレスからプログラムの命令を読出し、解釈する。ＣＰＵ７０はまた、読出された命令によって指定されるアドレスから演算に必要なデータを読出し、そのデータに対し命令に対応する演算を実行する。実行の結果も、ＲＡＭ７４、ＨＤＤ５２及びＣＰＵ７０内のレジスタ等の、命令によって指定されるアドレスに格納される。
【００２６】
ＢＵＳライン７６には、さらに、ＨＤＤ５２、操作部５４、原稿搬送読取部５５、画像処理部５６、画像メモリ５７、画像形成部５８、回線制御部６０、モデム６２、ＣＩ検出部６４、ＬＡＮ  Ｉ／Ｆ６６、書込部６８、及び、電子ペーパ装着部６９が電気的に接続される。
【００２７】
ＨＤＤ５２は、磁気記憶媒体を含み、各種設定値及び画像データ等を含む各種データを格納する記憶領域を提供する。ＨＤＤ５２は、さらに、ファクシミリ受信した画像データ（以下「ＦＡＸ受信データ」と記す。）に関するＦＡＸ受信データ情報を受信時刻順に記憶した履歴情報を格納する。このＦＡＸ受信データ情報は、通信相手先のファクシミリ番号、受信時刻、並びに、ＦＡＸ受信データのサイズ及び頁数等の情報を含む。
【００２８】
本実施の形態において、上記の各種コンピュータプログラムを記憶するＨＤＤ５２には、画像形成装置２２の一般的な動作を実現するためのコンピュータプログラムとともに、後述するＦＡＸ受信データ出力処理を実現するためのコンピュータプログラムが記憶される。このコンピュータプログラムは、ＬＡＮ（Ｌｏｃａｌ  Ａｒｅａ  Ｎｅｔｗｏｒｋ）回線２０及びＬＡＮ  Ｉ／Ｆ６６を介して外部装置から提供される。なお、このコンピュータプログラムは、そのコンピュータプログラムが記録された、例えばＤＶＤ等の記録媒体によって提供されてもよい。すなわち、コンピュータプログラムの記録媒体としてのＤＶＤが、画像形成装置２２内に内蔵されるＤＶＤドライブ（図示せず。）に装着され、そのＤＶＤからコンピュータプログラムが読出されてＨＤＤ５２にインストールされてもよい。このコンピュータプログラムにおける、ＦＡＸ受信データ出力処理を実現するためのプログラム構造については後述する。
【００２９】
操作部５４は、画像形成装置２２の上部であって、原稿搬送読取部５５近傍に設けられる。操作部５４は、ユーザが画像形成装置２２を操作するための、各種ハードキーと、各種ソフトキーを構成するタッチパネルとを備える操作パネル７８を含む。上記各種ハードキーは、通信相手先のファクシミリ番号及びコピー枚数等の設定値等を入力するためのテンキー、電源オン及び電源オフを指示するための電源キー、並びに、印刷開始を指示するための印刷スタートキー等を含む。操作部５４は、さらに、画像形成装置２２の状態情報及び各種設定値情報等の各種情報を表示するための表示パネル８０を含む。表示パネル８０は、液晶ディスプレイ（ＬＣＤ（Ｌｉｑｕｉｄ  Ｃｒｙｓｔａｌ  Ｄｉｓｐｌａｙ））等からなる表示装置である。操作部５４において、表示パネル８０と、操作パネル７８のタッチパネルとは重ねて構成されており、ユーザに対して対話的な操作インターフェイスを提供する。操作部５４は、操作パネル７８の各種ハードキー又は各種ソフトキーから画像形成装置２２全体の動作に対するユーザの指示を受付けて、その指示の内容を表示パネル８０に表示するとともに、その指示に応じた制御信号を制御部５０又は画像処理部５６のＭＰＵに対して出力する。
【００３０】
原稿搬送読取部５５は、画像形成装置２２の上部に設けられる原稿載置台８２と、原稿載置台８２に対して開閉可能に取り付けられる自動原稿搬送装置（以下「ＡＤＦ（Ａｕｔｏｍａｔｉｃ  Ｄｏｃｕｍｅｎｔ  Ｆｅｅｄｅｒ）」と記す。）８４と、原稿載置台８２の下方に設けられる原稿読取部８６とを含む。原稿載置台８２は、原稿を載置するための、透明ガラスからなる板状部材である。ＡＤＦ８４は、原稿載置台８２上に自動で原稿を搬送する装置である。ユーザは、ＡＤＦ８４を開放することによって、手動で原稿を原稿載置台８２に載置することもできる。
【００３１】
原稿読取部８６は、原稿検知センサ及びＣＣＤ（Ｃｈａｒｇｅ−Ｃｏｕｐｌｅｄ  Ｄｅｖｉｃｅ）ラインセンサ（以上いずれも図示せず。）を含むスキャナ装置である。原稿検知センサは、ユーザによって手動で、又は、ＡＤＦ８４によって、原稿載置台８２に載置された原稿の画像表面に対し光源（図示せず。）から光を照射することで得られる反射光像をＣＣＤラインセンサ上に結像させる。ＣＣＤラインセンサは、結像された反射光像を順次光電変換して、画像データとして画像処理部５６に対して出力する。すなわち、原稿読取部８６は、原稿のコピー時又はスキャン時に、原稿載置台８２に載置される原稿から原稿検知センサによって画像情報を読取り、読取った画像情報をＣＣＤラインセンサによって電気信号に変換して画像データとして画像処理部５６に対し出力する。本実施の形態において、原稿読取部８６から出力される画像データは、ＲＧＢ（Ｒ：Ｒｅｄ，Ｇ：Ｇｒｅｅｎ，Ｂ：Ｂｌｕｅ）アナログ画像信号である。
【００３２】
画像処理部５６は、ＭＰＵ（Ｍｉｃｒｏ  Ｐｒｏｃｅｓｓｉｎｇ  Ｕｎｉｔ、図示せず。）を含む。画像処理部５６は、原稿読取部８６から入力された画像データ等の画像データに対して、例えば、色補正処理等の所定の画像処理を施して所定の階調の出力画像データを作成し、画像メモリ５７に対して出力する。
【００３３】
画像メモリ５７は、ＲＡＭを含み、画像処理部５６から入力される出力画像データ、及び、ＦＡＸ受信データ等の画像データをページ単位で一時的に記憶する。画像メモリ５７に一時的に記憶された画像データは、制御部５０からの指示に応じて、各転送先に転送される。すなわち、印刷を行なう場合には画像形成部５８に転送され、電子ペーパ表示を行なう場合には書込部６８に転送され、外部装置に送信する場合にはＬＡＮ  Ｉ／Ｆ６６に転送され、ファクシミリ送信を行なう場合には回線制御部６０に転送される。
【００３４】
画像形成部５８は、原稿搬送読取部５５の下方に設けられる。画像形成部５８は、感光体ドラム、帯電器、ＬＳＵ（Ｌａｓｅｒ  Ｓｃａｎｎｉｎｇ  Ｕｎｉｔ）、現像装置、転写装置、クリーニング装置及び定着装置（以上いずれも図示せず。）、並びに、画像形成装置２２に着脱自在に装着されるトナーカートリッジを含む。画像形成部５８は、さらに、画像形成装置２２に着脱自在に装着される、手差し給紙トレイ９２、第１給紙トレイ９４及び第２給紙トレイ９６を含む。これらの給紙トレイは、この順で上下に並ぶように設置され、記録用紙を保持し、用紙搬送部（図示せず。）に記録用紙を送給する。手差し給紙トレイ９２は、ユーザが手動により所望の記録用紙を設置するためのトレイであり、第１給紙トレイ９４及び第２給紙トレイ９６は、異なる大きさの記録用紙を保持するトレイである。画像形成部５８は、制御部５０等からの指示に応じて、上記給紙トレイのいずれかから用紙搬送部を介して搬送される記録用紙上に、画像メモリ５７から送信される画像データに基づく画像を印刷する。
【００３５】
回線制御部６０は、アナログ回線である公衆電話回線網３０とインターフェイスをとるハードウェア回路である。公衆電話回線網３０には、画像形成装置２２とのファクシミリ通信が可能なファクシミリ装置等の複数の外部装置が接続されている。回線制御部６０は、制御部５０からの指示に応じて、公衆電話回線網３０の閉結及び開放を制御する回線制御を行なうとともに、必要に応じてモデム６２と公衆電話回線網３０とを接続する。回線制御部６０は、さらに、公衆電話回線網３０に接続される通信相手先の外部装置を呼出すために、通信相手先のファクシミリ番号に応じたダイヤル信号を通信相手に対して送出する。
【００３６】
モデム６２は、ファクシミリ通信が可能なファクシミリモデムを含み、回線制御部６０を介して公衆電話回線網３０と接続される。モデム６２は、通信相手に対して送信するためのデジタルデータをアナログデータの音声信号に変換して回線制御部６０を介して公衆電話回線網３０に送出する。モデム６２は、さらに、通信相手から回線制御部６０を介して受信した音声信号をデジタルデータに変換して復調する。復調された画像データは、符号化／復号化部（図示せず。）によって復号化された後、画像メモリ５７に対して出力される。
【００３７】
ＣＩ検出部６４は、公衆電話回線網３０に接続される外部装置からの呼出信号（ＣＩ信号）を検出し、その検出結果を制御部５０に通知する。制御部５０は、ＣＩ信号を所定時間検出したと判断すると、モデム６２を通じて公衆電話回線網３０を捕捉するために、回線制御部６０に対し、公衆電話回線網３０を閉結するように指示する。公衆電話回線網３０が捕捉されると、モデム６２によってファクシミリ通信が行なわれる。
【００３８】
ＬＡＮ  Ｉ／Ｆ６６は、ＬＡＮ回線２０とインターフェイスをとる。ＬＡＮ回線２０には、画像形成装置２２とのファクシミリ通信が可能なインターネットファクシミリ装置、及び、画像形成装置２２とのデータ通信が可能なパーソナルコンピュータ等の複数の外部装置が接続されている。
【００３９】
なお、画像形成装置２２において、ファクシミリ送信される画像データは、符号化／復号化部（図示せず。）によって、例えば、ＭＨ（Ｍｏｄｉｆｉｅｄ  Ｈｕｆｆｍａｎ）、ＭＲ（Ｍｏｄｉｆｉｅｄ  ＲＥＡＤ）、又は、ＭＭＲ（Ｍｏｄｉｆｉｅｄ  Ｍｏｄｉｆｉｅｄ  ＲＥＡＤ）等の符号化方式によって符号化されたものである。また、ファクシミリ受信した画像データは、符号化／復号化部（図示せず。）によって復号化された後、画像メモリ５７に対して出力される。
【００４０】
書込部６８は、実際には制御部５０により実行されるプログラムによって実現される。書込部６８は、制御部５０からの指示に応じて、画像メモリ５７に記憶される画像データを読出す。そして、読出した画像データに基づく画像を電子ペーパ装着部６９に装着される電子ペーパ１００に対して書込むことで、電子ペーパ１００に対し、画像データに基づく画像を表示させる。
【００４１】
電子ペーパ装着部６９は、原稿搬送読取部５５のＡＤＦ８４に設けられる。電子ペーパ装着部６９は、電子ペーパ１００を着脱可能に構成され、電子ペーパ１００の装着時には、電子ペーパ１００と電気的及び機械的に接続される。なお、電子ペーパ装着部６９に接続される電子ペーパ１００は、不揮発性表示装置であることが好ましい。ここで、不揮発性表示装置とは、電源を切断した場合においても表示内容を保持可能な表示装置のことを示す。電子ペーパ１００としては、当該分野において一般的に使用されるものであれば特に限定されないが、例えば、マイクロカプセル型電気泳動表示方式、粒子移動方式、及び、ツイストボール方式等を利用した電子ペーパを使用できる。
【００４２】
制御部５０のＣＰＵ７０等の画像形成装置２２の各構成部には電源（図示せず）が接続され、この電源から電力が供給されることで、画像形成装置２２の各構成部の動作が実現される。
【００４３】
画像形成装置２２は、上述した各構成部を動作させることによって、操作部５４からのユーザの入力操作による指示又は外部装置等からの指示に応じて、原稿画像を読取り記録用紙に印刷するコピーモード、外部装置等から送信される画像データを受信して記録用紙に印刷するプリンタモード、原稿画像を読取り外部装置等に送信するスキャナモード、及び、外部装置であるファクシミリ装置とファクシミリ通信を行なうＦＡＸモード等の各種のモードのいずれかを実行する。
【００４４】
〈ソフトウェア構成〉  
図３〜図５は、ＦＡＸ受信データ出力処理を実現するためのコンピュータプログラムの制御構造をフローチャート形式で示す図である。上述したように、ＨＤＤ５２に記憶されるコンピュータプログラムは、ＦＡＸ受信データ出力処理を実行するようにプログラミングされている。このＦＡＸ受信データ出力処理は、ＣＰＵ７０が、上記コンピュータプログラムに従って、画像形成装置２２の各部の動作を制御することによって、ハードウェアとコンピュータプログラムとの協働により実現する、印刷制御機能及び表示制御機能等によって実行される。なお、印刷制御機能とは、操作部５４が印刷要求指示を受付けた場合に、画像形成部５８に対し、ＦＡＸ受信データに基づく画像を記録用紙に印刷させる機能のことであり、表示制御機能とは、操作部５４が表示要求指示を受付けた場合に、書込部６８に対し、ＦＡＸ受信データに基づく画像を電子ペーパ１００に対して書込ませることで、電子ペーパ１００に対し、ＦＡＸ受信データに基づく画像を表示させる機能のことである。
【００４５】
ＦＡＸ受信データ出力処理を実現するためのコンピュータプログラムは、画像形成装置２２が、回線制御部６０及びモデム６２を介して通信先の外部装置から、連続した複数頁の画像データであるＦＡＸ受信データをファクシミリ受信することによって起動される。
【００４６】
図３を参照して、このプログラムは、表示パネル８０に対し、電子ペーパ表示又は印刷を行なう対象となるＦＡＸ受信データを選択するためのＦＡＸ受信データ選択画面を表示させるステップＳ１００を含む。図６は、ＦＡＸ受信データ選択画面６００の一例を示す図である。図６を参照して、ＦＡＸ受信データ選択画面６００は、通信相手先のファクシミリ番号、受信時刻、並びに、ＦＡＸ受信データのサイズ及び頁数等の情報を含むＦＡＸ受信データ情報を受信時刻順に示す履歴リストを表示する履歴リスト表示領域６０２と、選択されたＦＡＸ受信データを電子ペーパ１００に表示させることを要求する表示要求指示を受付ける電子ペーパ表示キー６０４と、選択されたＦＡＸ受信データを記録用紙に印刷することを要求する印刷要求指示を受付ける印刷キー６０６とを含む。ＦＡＸ受信データ選択画面６００は、履歴リスト表示領域６０２のＦＡＸ受信データ情報のうちのいずれか１つがタッチされると、タッチされたＦＡＸ受信データ情報を含む領域が反転表示されるように設定されている。ＦＡＸ受信データ選択画面６００は、また、電子ペーパ表示キー６０４又は印刷キー６０６のいずれかがタッチされると、タッチされたキーの表示領域が予め定める一定時間反転表示されるように設定されている。なお、履歴リストは、ＨＤＤ５２に記憶される履歴情報に基づいて表示される。
【００４７】
このプログラムはさらに、ＦＡＸ受信データ選択画面６００における印刷キー６０６がタッチされたか否かを判定するステップＳ１０１と、ステップＳ１０１において、印刷キー６０６がタッチされたと判定された場合（ＹＥＳの場合）に実行され、画像形成部５８に対し、選択されたＦＡＸ受信データに基づく画像を記録用紙に印刷させるステップＳ１０２とを含む。
【００４８】
このプログラムはさらに、ステップＳ１０１において、印刷キー６０６がタッチされていないと判定された場合（ＮＯの場合）に実行され、電子ペーパ表示キー６０４がタッチされたか否かを判定するステップＳ１０３と、ステップＳ１０３において、電子ペーパ表示キー６０４がタッチされたと判定された場合（ＹＥＳの場合）に実行され、電子ペーパ表示キー６０４を予め定める一定時間（例えば、１秒間）反転表示させた後、表示パネル８０に対し、選択されたＦＡＸ受信データである、連続した複数頁の画像データのうちから、電子ペーパ表示を行なう対象となる頁の画像データを選択するための表示ページ選択画面を表示させるステップＳ１０４とを含む。ステップＳ１０３において、電子ペーパ表示キー６０４がタッチされていないと判定された場合（ＮＯの場合）には、制御はステップＳ１０１に戻る。
【００４９】
図７は、表示ページ選択画面７００の一例を示す図である。図７を参照して、表示ページ選択画面７００は、選択されたＦＡＸ受信データに含まれる全ての頁の画像データに対応するサムネイル画像を表示するサムネイル画像表示領域７０２を含む。サムネイル画像表示領域７０２に表示されるサムネイル画像は、ユーザによってタッチされると反転表示されるように設定されている。反転表示されたサムネイル画像は、ユーザによって選択された頁の画像データを示す選択情報である。表示ページ選択画面７００は、さらに、反転表示されたサムネイル画像を、電子ペーパ表示を行なう対象となる頁の画像データとして受付けるＯＫキー７０４と、表示パネル８０に対し、ＦＡＸ受信データ選択画面６００を再度表示させることを要求する指示を受付けるキャンセルキー７０６とを含む。表示ページ選択画面７００は、ＯＫキー７０４又はキャンセルキー７０６のいずれかがタッチされると、タッチされたキーの表示領域が予め定める一定時間反転表示されるように設定されている。
【００５０】
このプログラムはさらに、表示ページ選択画面７００におけるＯＫキー７０４がタッチされたか否かを判定するステップＳ１０５と、ステップＳ１０５において、ＯＫキー７０４がタッチされていないと判定された場合（ＮＯの場合）に実行され、表示ページ選択画面７００におけるキャンセルキー７０６がタッチされたか否かを判定するステップＳ１０６とを含む。ステップＳ１０６において、キャンセルキー７０６がタッチされたと判定された場合（ＹＥＳの場合）には、制御はステップＳ１００に戻る。ステップＳ１０６において、キャンセルキー７０６がタッチされていないと判定された場合（ＮＯの場合）には、制御はステップＳ１０５に戻る。
【００５１】
このプログラムはさらに、ステップＳ１０５において、ＯＫキー７０４がタッチされたと判定された場合（ＹＥＳの場合）に実行され、選択された全てのサムネイル画像に対応する画像データを頁番号の小さい順に並べ変えて、等倍画像データとして画像メモリ５７に一時的に記憶させるステップＳ１０７を含む。
【００５２】
図４を参照して、このプログラムはさらに、ＯＫキー７０４を予め定める一定時間（例えば、１秒間）反転表示させた後、表示パネル８０に対し、電子ペーパ表示を行なう対象となる、連続した複数頁の画像データの割付頁数を指定するための２ｉｎ１／４ｉｎ１選択画面を表示させるステップＳ１０８を含む。図８は、２ｉｎ１／４ｉｎ１選択画面８００の一例を示す図である。図８を参照して、２ｉｎ１／４ｉｎ１選択画面８００は、割付頁数が２頁である２ｉｎ１を指定するための２ｉｎ１アイコン、及び、割付頁数が４頁である４ｉｎ１を指定するための４ｉｎ１アイコンを表示するアイコン表示領域８０２を含む。アイコン表示領域８０２に表示される２ｉｎ１アイコン及び４ｉｎ１アイコンは、ユーザによってタッチされると反転表示されるように設定されている。反転表示された２ｉｎ１アイコン又は４ｉｎ１アイコンは、電子ペーパ表示を行なう対象となる複数頁の画像データの割付頁数を示す、ユーザからの割付指示である。２ｉｎ１／４ｉｎ１選択画面８００は、さらに、反転表示された２ｉｎ１アイコン又は４ｉｎ１アイコンを、電子ペーパ表示を行なう対象となる、連続した複数頁の画像データの割付頁数として受付けるＯＫキー８０４と、表示パネル８０に、ＦＡＸ受信データ選択画面６００を再度表示させることを要求する指示を受付けるキャンセルキー８０６とを含む。２ｉｎ１／４ｉｎ１選択画面８００は、ＯＫキー８０４又はキャンセルキー８０６のいずれかがタッチされると、タッチされたキーの表示領域が予め定める一定時間反転表示されるように設定されている。
【００５３】
このプログラムはさらに、２ｉｎ１／４ｉｎ１選択画面８００におけるＯＫキー８０４がタッチされたか否かを判定するステップＳ１０９と、ステップＳ１０９において、ＯＫキー８０４がタッチされていないと判定された場合（ＮＯの場合）に実行され、２ｉｎ１／４ｉｎ１選択画面８００におけるキャンセルキー８０６がタッチされたか否かを判定するステップＳ１１０とを含む。ステップＳ１１０において、キャンセルキー８０６がタッチされたと判定された場合（ＹＥＳの場合）には、制御はステップＳ１００に戻る。ステップＳ１１０において、キャンセルキー８０６がタッチされていないと判定された場合（ＮＯの場合）には、制御はステップＳ１０９に戻る。
【００５４】
このプログラムはさらに、ステップＳ１０９において、ＯＫキー８０４がタッチされたと判定された場合（ＹＥＳの場合）に実行され、２ｉｎ１アイコンが選択されているか否かを判定するステップＳ１１１と、ステップＳ１１１において、２ｉｎ１アイコンが選択されていると判定された場合（ＹＥＳの場合）に実行され、画像メモリ５７に記憶されている等倍画像データに含まれる全ての画像データを縮小率７０％で縮小し、縮小後の画像データを頁番号の小さい順に２頁ずつ割付けて合成することで２ｉｎ１画像データを作成するとともに、作成した２ｉｎ１画像データを表示用画像データとして画像メモリ５７に一時的に記憶させるステップＳ１１２とを含む。
【００５５】
このプログラムはさらに、ステップＳ１１１において、２ｉｎ１アイコンが選択されていないと判定された場合（ＮＯの場合）に実行され、４ｉｎ１アイコンが選択されているか否かを判定するステップＳ１１３と、ステップＳ１１３において、４ｉｎ１アイコンが選択されていると判定された場合（ＹＥＳの場合）に実行され、画像メモリ５７に記憶されている等倍画像データに含まれる全ての画像データを縮小率５０％で縮小し、縮小後の画像データを頁番号の小さい順に４頁ずつ割付けて合成することで４ｉｎ１画像データを作成するとともに、作成した４ｉｎ１画像データを表示用画像データとして画像メモリ５７に一時的に記憶させるステップＳ１１４とを含む。なお、ステップＳ１１３において、４ｉｎ１アイコンが選択されていないと判定された場合（ＮＯの場合）には、ステップＳ１０７にて画像メモリ５７に記憶された等倍画像データが表示用画像データとして使用される。
【００５６】
図５を参照して、このプログラムはさらに、変数Ｎに初期値である１を代入するステップＳ１１５を含む。ここで、変数Ｎは、電子ペーパ１００に書込む表示用画像データの頁番号を示す値である。
【００５７】
このプログラムはさらに、電子ペーパ装着部６９に電子ペーパ１００が装着されるまで待機するステップＳ１１６と、ステップＳ１１６において、電子ペーパ１００が装着されたと判定された場合（ＹＥＳの場合）に実行され、書込部６８に対し、画像メモリ５７に記憶された表示用画像データにおける、変数Ｎに対応する頁番号の画像データに基づく画像を、電子ペーパ１００に書込ませることで、電子ペーパ１００に対し、変数Ｎに対応する頁番号の画像データに基づく画像を表示させるステップＳ１１７とを含む。
【００５８】
このプログラムはさらに、変数Ｎが、表示用画像データの最終頁の頁番号に対応する値であるか否かを判定するステップＳ１１８と、ステップＳ１１８において、変数Ｎが最終頁の頁番号に対応する値ではないと判定された場合（ＮＯの場合）に実行され、電子ペーパ装着部６９から電子ペーパ１００が取外されるまで待機するステップＳ１１９と、ステップＳ１１９において、電子ペーパ１００が取外されたと判定された場合（ＹＥＳの場合）に実行され、変数Ｎを１増加させるステップＳ１２０とを含む。ステップＳ１２０の終了後、制御はステップＳ１１６に戻る。なお、ステップＳ１１８において、変数Ｎが最終頁の頁番号に対応する値であると判定された場合（ＹＥＳの場合）には、本処理は終了する。
【００５９】
〈動作〉  
図１〜図８を参照して、本実施の形態に係る画像形成装置２２は、ファクシミリ受信時において、以下のように動作する。なお、ファクシミリ受信時における動作を除く、画像形成装置２２の一般的な機能を実現するための動作は、従来の画像形成装置における動作と同様である。
【００６０】
画像形成装置２２が、回線制御部６０及びモデム６２を介して外部装置から、連続した複数頁の画像データであるＦＡＸ受信データをファクシミリ受信すると、制御部５０は、表示パネル８０に対し、ＦＡＸ受信データ選択画面６００（図６参照）を表示させる（Ｓ１００）。
【００６１】
ユーザは、ＦＡＸ受信データ選択画面６００における履歴リスト表示領域６０２を確認して、所望のＦＡＸ受信データ情報をタッチすることで選択する。この操作によって、タッチされたＦＡＸ受信データ情報を含む領域は反転表示される。所望のＦＡＸ受信データ情報の選択後、ユーザは、電子ペーパ表示キー６０４をタッチする。
【００６２】
電子ペーパ表示キー６０４がタッチされると（Ｓ１０３）、制御部５０は、電子ペーパ表示キー６０４を予め定める一定時間（例えば、１秒間）反転表示させた後、表示パネル８０に対し、表示ページ選択画面７００（図７参照）を表示させる（Ｓ１０４）。
【００６３】
ユーザは、表示ページ選択画面７００におけるサムネイル画像表示領域７０２を確認して、所望のサムネイル画像をタッチすることで選択する。この操作によって、タッチされた３つのサムネイル画像は反転表示される。所望のサムネイル画像の選択後、ユーザは、ＯＫキー７０４をタッチする。
【００６４】
ＯＫキー７０４がタッチされると（Ｓ１０５）、制御部５０は、選択された３つのサムネイル画像に対応する画像データを頁番号の小さい順に並べ変えて、等倍画像データとして画像メモリ５７に一時的に記憶させる（Ｓ１０７）。制御部５０は、また、等倍画像データの記憶処理に同期して、ＯＫキー７０４を予め定める一定時間（例えば、１秒間）反転表示させた後、表示パネル８０に対し、２ｉｎ１／４ｉｎ１選択画面８００（図８参照）を表示させる（Ｓ１０８）。
【００６５】
ユーザは、２ｉｎ１／４ｉｎ１選択画面８００のアイコン表示領域８０２を確認して、２ｉｎ１アイコン又は４ｉｎ１アイコンのうちの所望のアイコン（本実施の形態では、２ｉｎ１アイコン）をタッチすることで選択する。この操作によって、タッチされたアイコンは反転表示される。所望のアイコンの選択後、ユーザは、ＯＫキー８０４をタッチする。
【００６６】
ＯＫキー８０４がタッチされると（Ｓ１０９）、制御部５０は、２ｉｎ１アイコンが選択されていると判定し（Ｓ１１１）、画像メモリ５７に記憶されている等倍画像データに含まれる３つの画像データを縮小率７０％で縮小し、縮小後の画像データを頁番号の小さい順に２頁ずつ割付けて合成することで２頁からなる２ｉｎ１画像データを作成するとともに、作成した２ｉｎ１画像データを表示用画像データとして画像メモリ５７に一時的に記憶させる（Ｓ１１２）。一方、ユーザによって４ｉｎ１アイコンがタッチされた場合には、制御部５０は、４ｉｎ１アイコンが選択されていると判定し（Ｓ１１３）、画像メモリ５７に記憶されている等倍画像データに含まれる３つの画像データを縮小率５０％で縮小し、縮小後の画像データを頁番号の小さい順に４頁ずつ割付けて合成することで１頁からなる４ｉｎ１画像データを作成するとともに、作成した４ｉｎ１画像データを表示用画像データとして画像メモリ５７に一時的に記憶させる（Ｓ１１４）。また、２ｉｎ１アイコン及び４ｉｎ１アイコンのうちのいずれも選択されず、ＯＫキー８０４がタッチされた場合には、画像メモリ５７に記憶された等倍画像データが表示用画像データとして使用される。表示用画像データの記憶後、制御部５０は、変数Ｎに初期値である１を代入する（Ｓ１１５）。
【００６７】
ユーザは、ＯＫキー８０４をタッチした後、電子ペーパ装着部６９に電子ペーパ１００を装着する。電子ペーパ１００が装着されると（Ｓ１１６）、制御部５０は、書込部６８に対し、画像メモリ５７に記憶された表示用画像データにおける、変数Ｎ（＝１）に対応する頁番号の画像データに基づく画像を、電子ペーパ１００に書込ませることで、電子ペーパ１００に対し、変数Ｎ（＝１）に対応する頁番号の画像データに基づく画像を表示させる（Ｓ１１７）。本実施の形態においては、電子ペーパ１００には、２頁からなる２ｉｎ１画像データのうち１頁目の２ｉｎ１画像が表示される。
【００６８】
制御部５０は、変数Ｎが表示用画像データの最終頁の頁番号に対応する値ではない、すなわち、変数Ｎが２ではなく１であると判定し（Ｓ１１８）、電子ペーパ装着部６９から電子ペーパ１００が取外されるまで待機する（Ｓ１１９）。
【００６９】
ユーザは、電子ペーパ１００に１頁目の２ｉｎ１画像が表示されると、電子ペーパ装着部６９から電子ペーパ１００を取外す。電子ペーパ１００が取外されると、制御部５０は、変数Ｎを１増加させて２にする（Ｓ１２０）。
【００７０】
ユーザは、電子ペーパ１００に表示された１頁目の２ｉｎ１画像を確認後、電子ペーパ装着部６９に電子ペーパ１００を再度装着する。電子ペーパ１００が再度装着されると（Ｓ１１６）、制御部５０は、書込部６８に対し、画像メモリ５７に記憶された表示用画像データにおける、変数Ｎ（＝２）に対応する頁番号の画像データに基づく画像を、電子ペーパ１００に書込ませることで、電子ペーパ１００に対し、変数Ｎ（＝２）に対応する頁番号の画像データに基づく画像を表示させる（Ｓ１１７）。本実施の形態においては、電子ペーパ１００には、２頁からなる２ｉｎ１画像データのうち２頁目の２ｉｎ１画像が表示される。
【００７１】
制御部５０は、変数Ｎが表示用画像データの最終頁の頁番号に対応する値である、すなわち、変数Ｎが２であると判定し（Ｓ１１８）、本動作を終了する。
【００７２】
ユーザは、電子ペーパ１００に２頁目の２ｉｎ１画像が表示されると、電子ペーパ装着部６９から電子ペーパ１００を取外して、電子ペーパ１００に表示された２頁目の２ｉｎ１画像を確認する。
【００７３】
なお、ユーザは、ＦＡＸ受信データを印刷したい場合には、ＦＡＸ受信データ選択画面６００において、所望のＦＡＸ受信データ情報の選択後、電子ペーパ表示キー６０４に代えて印刷キー６０６をタッチする。印刷キー６０６がタッチされると（Ｓ１０１）、制御部５０は、画像形成部５８に対し、選択されたＦＡＸ受信データに基づく画像を記録用紙に印刷させる（Ｓ１０２）。
【００７４】
また、ユーザによって、表示ページ選択画面７００のキャンセルキー７０６又は２ｉｎ１／４ｉｎ１選択画面８００のキャンセルキー８０６がタッチされた場合には（Ｓ１０６，Ｓ１１０）、制御部５０は、表示パネル８０に対し、ＦＡＸ受信データ選択画面６００を再度表示させる（Ｓ１００）。ユーザは、再表示されたＦＡＸ受信データ選択画面６００を確認して、上記動作を再度実行できる。
【００７５】
〈作用・効果〉  
上記実施の形態によれば、画像形成装置２２は、他のＦＡＸ装置等を含む外部装置が接続される公衆電話回線網３０に接続され、公衆電話回線網３０を介して外部装置とファクシミリ通信を行なうデータ受信装置であって、外部装置から送信されるＦＡＸ受信データを受信する回線制御部６０及びモデム６２と、当該画像形成装置２２に対して電子ペーパ１００を着脱可能に装着する電子ペーパ装着部６９と、ＦＡＸ受信データを電子ペーパ１００に表示させることを要求する表示要求指示を受付ける電子ペーパ表示キー６０４を含むＦＡＸ受信データ選択画面６００を表示する操作部５４と、電子ペーパ表示キー６０４が表示要求指示を受付けた場合に、電子ペーパ１００に対し、ＦＡＸ受信データに基づく画像を表示させる制御部５０とを含む。
【００７６】
このように、画像形成装置２２は、電子ペーパ表示キー６０４が表示要求指示を受付けた場合に、当該画像形成装置２２に対して着脱可能に装着される電子ペーパ１００に対し、ＦＡＸ受信データに基づく画像を表示させる。したがって、ユーザは、電子ペーパ１００を画像形成装置２２から取外し、画像形成装置２２から離れた場所で電子ペーパ１００に表示された画像を確認することができる。そのため、ＦＡＸ受信データに基づく画像を記録用紙に印刷しない場合であっても、ユーザによる画像確認時において、画像形成装置２２を他のユーザが使用可能な状態にしておくことができる。また、ＦＡＸ受信データに基づく画像を記録用紙に印刷することなく画像を確認できるので、記録用紙及びトナー等の消耗品の消費量を低減することができる。
【００７７】
また上記実施の形態によれば、画像形成装置２２は、ＦＡＸ受信データに基づく画像を記録用紙に印刷する画像形成部５８をさらに含み、操作部５４は、ＦＡＸ受信データを記録用紙に印刷することを要求する印刷要求指示を受付ける印刷キー６０６を含むＦＡＸ受信データ選択画面６００を表示し、制御部５０は、印刷キー６０６が印刷要求指示を受付けた場合に、画像形成部５８に対し、ＦＡＸ受信データに基づく画像を記録用紙に印刷させる。
【００７８】
このように、画像形成装置２２は、印刷キー６０６が印刷要求指示を受付けた場合に、画像形成部５８に対し、受信した画像データに基づく画像を記録用紙に印刷させるので、ユーザは、受信した画像データに基づく画像を、電子ペーパ１００に表示させるか、又は、記録用紙に印刷させるかを選択することができる。したがって、より一層ユーザの利便性が向上する。
【００７９】
また上記実施の形態によれば、電子ペーパ１００は、不揮発性表示装置である。これにより、ＦＡＸ受信データに基づく画像を記録用紙に印刷しない場合であっても、ユーザは、電力を消費することなくＦＡＸ受信データに基づく画像を確認することができる。また、電子ペーパ１００の取外し時における、電源供給を維持するための制御回路及び電源等の構成を必要としないので、装置構成を簡単にすることができるとともに、コストダウン及び当該画像形成装置２２の小型化をより一層達成できる。
【００８０】
また上記実施の形態によれば、回線制御部６０及びモデム６２は、外部装置から送信される、連続した複数頁の画像データであるＦＡＸ受信データを受信し、制御部５０の表示制御機能は、電子ペーパ表示キー６０４が表示要求指示を受付けた場合に、電子ペーパ１００に対し、電子ペーパ１００が当該画像形成装置２２の電子ペーパ装着部６９に装着される毎に、受信したＦＡＸ受信データに基づく画像を頁番号順に変更して表示させる。これにより、ユーザは、当該画像形成装置２２に対して電子ペーパ１００置の着脱を繰返すという簡単な操作によって、連続した複数頁の画像データに基づく画像を全て確認することができる。したがって、ユーザの利便性がより一層向上する。
【００８１】
また上記実施の形態によれば、操作部５４は、連続した複数頁の画像データであるＦＡＸ受信データのうちから、ユーザによって選択された頁の画像データを示す選択情報を受付けるサムネイル画像表示領域７０２及びＯＫキー７０４を含む表示ページ選択画面７００をさらに表示し、制御部５０の表示制御機能は、電子ペーパ表示キー６０４が表示要求指示を受付けた場合であって、かつ、サムネイル画像表示領域７０２及びＯＫキー７０４が選択情報を受付けた場合に、電子ペーパ１００に対し、選択された頁の画像データに基づく画像を表示させる。これにより、ユーザは、連続した複数頁の画像データであるＦＡＸ受信データのうちから所望の頁の画像データを選択して、選択した頁の画像データに基づく画像を確認することができる。したがって、ユーザの利便性がさらに向上する。
【００８２】
また上記実施の形態によれば、操作部５４は、電子ペーパ表示を行なう対象となる、連続した複数頁の画像データの割付頁数を示す、ユーザからの割付指示を受付けるアイコン表示領域８０２及びＯＫキー８０４を含む２ｉｎ１／４ｉｎ１選択画面８００をさらに表示し、制御部５０の表示制御機能は、電子ペーパ表示キー６０４が表示要求指示を受付けた場合であって、かつ、アイコン表示領域８０２及びＯＫキー８０４が割付指示を受付けた場合に、電子ペーパ１００に対し、電子ペーパ表示を行なう対象となる、連続した複数頁の画像データに基づく画像を、割付指示によって示される割付頁数に従って割付表示させる。これにより、ユーザは、電子ペーパ表示を行なう対象となる、連続した複数頁の画像データに基づく画像が所望の割付頁数で割付表示された画像を確認することができるので、一度に多くの情報を確認することができる。したがって、ユーザの利便性がさらに向上する。
【００８３】
なお、上記実施の形態において、ＦＡＸ受信データ出力処理は、回線制御部６０及びモデム６２を介して外部装置から受信したＦＡＸ受信データに対して実行されたが、本発明はそのような実施の形態には限定されない。例えば、ＬＡＮ  Ｉ／Ｆ６６を介してＬＡＮ回線２０に接続されるインターネットファクシミリ装置から受信したＦＡＸ受信データに対して実行されてもよい。
【００８４】
また、上記実施の形態においては、電子ペーパ１００には、ＦＡＸ受信データに基づく画像のみが表示されたが、本発明はそのような実施の形態には限定されない。例えば、ＦＡＸ受信データ以外にも、ＨＤＤ５２に記憶される履歴情報に基づく履歴リスト、及び、通信相手先の名称及び送受信時刻等を含むファクシミリ通信の通信結果を示す通信結果記録表等の情報を表示してもよい。このように、履歴リスト及び通信結果記録表等のＦＡＸ受信データ以外の情報を表示できることにより、これらの情報を記録用紙に印刷しない場合であっても、ユーザによる情報確認時において、当該画像形成装置２２を他のユーザが使用可能な状態にしておくことができる。また、記録用紙に印刷することなく情報を確認できるので、記録用紙及びトナー等の消耗品の消費量をより一層低減することができる。
【００８５】
今回開示された実施の形態は単に例示であって、この発明が上記した実施の形態のみに制限されるわけではない。この発明の範囲は、発明の詳細な説明の記載を参酌した上で、特許請求の範囲の各請求項によって示され、そこに記載された文言と均等の意味及び範囲内での全ての変更を含む。
【図面の簡単な説明】
【００８６】
【図１】本発明の一実施の形態に係る画像形成装置の斜視図である。
【図２】画像形成装置の電気的構成を示すブロック図である。
【図３】ＦＡＸ受信データ出力処理を実現するためのコンピュータプログラムの制御構造をフローチャート形式で示す図である。
【図４】ＦＡＸ受信データ出力処理を実現するためのコンピュータプログラムの制御構造をフローチャート形式で示す図である。
【図５】ＦＡＸ受信データ出力処理を実現するためのコンピュータプログラムの制御構造をフローチャート形式で示す図である。
【図６】ＦＡＸ受信データ選択画面の一例を示す図である。
【図７】表示ページ選択画面の一例を示す図である。
【図８】２ｉｎ１／４ｉｎ１選択画面の一例を示す図である。
【符号の説明】
【００８７】
２０  ＬＡＮ回線
３０  公衆電話回線網
２２  画像形成装置
５０  制御部
５２  ＨＤＤ
５４  操作部
５５  原稿搬送読取部
５６  画像処理部
５７  画像メモリ
５８  画像形成部
６０  回線制御部
６２  モデム
６４  ＣＩ検出部
６６  ＬＡＮ  Ｉ／Ｆ
６８  書込部
６９  電子ペーパ装着部
７０  ＣＰＵ
７２  ＲＯＭ
７４  ＲＡＭ
７６  ＢＵＳライン
７８  操作パネル
８０  表示パネル
８２  原稿載置台
８４  ＡＤＦ
８６  原稿読取部
９２  手差し給紙トレイ
９４  第１給紙トレイ
９６  第２給紙トレイ
【図１】
2010135992.tif 000003
【図２】
2010135992.tif 000004
【図３】
2010135992.tif 000005
【図４】
2010135992.tif 000006
【図５】
2010135992.tif 000007
【図６】
2010135992.tif 000008
【図７】
2010135992.tif 000009
【図８】
2010135992.tif 000010